(57)【要約】【課題】滑りを防止すると共に、使用者の脳の緊張を緩和してリラックスさせるようにした歯ブラシを提供する。【解決手段】複数本の毛（１４）が植設された植毛面（１０ａ１）を有するヘッド部（１０ａ）と、ヘッド部に連続して形成される把持部（１０ｃ）とを少なくとも備えた歯ブラシ（１０）において、把持部における植毛面に連続する面（１０ｃ１）とそれに対向する裏面（１０ｃ２）に、把持部の長手方向に複数列の突起（１６）を一体的に形成する。【選択図】図２
2008188133.tif 000002
【特許請求の範囲】
【請求項１】
複数本の毛が植設された植毛面を有するヘッド部と、前記ヘッド部に連続して形成される把持部とを少なくとも備えた歯ブラシにおいて、前記把持部における前記植毛面に連続する面とそれに対向する裏面に、前記把持部の長手方向に複数列の突起を一体的に形成したことを特徴とする歯ブラシ。
【請求項２】
前記突起はそれぞれ、断面視半球形状であることを特徴とする請求項１記載の歯ブラシ。
【発明の詳細な説明】
【技術分野】
【０００１】
この発明は歯ブラシに関し、より具体的には歯を磨く際に使用者の緊張を緩和してリラックスさせるようにした歯ブラシに関する。
【背景技術】
【０００２】
従来、複数本の毛が植設されるヘッド部とそれに連続して形成される把持部とを備えると共に、把持部の形状を工夫して滑りなどを防止するようにした歯ブラシが種々提案されており、その一例として特許文献１記載の技術を挙げることができる。
【０００３】
特許文献１記載の技術にあっては、把持部が硬質樹脂材料からなる芯材部と、芯材部の周面に被着された軟質樹脂材料からなる被覆部とを具備してなり、被覆部の表面の摩擦係数が１．０以上となるように構成することで、滑り防止やフィット性を向上させるようにしている。
【特許文献１】特開２００６−０００２０２号公報
【発明の開示】
【発明が解決しようとする課題】
【０００４】
ところで、人間は起床して直ぐなど体がほぐれていないときに何かをしようとすると、習性として脳に緊張を伴うものであり、歯を磨くときも同様に、緊張が生じる。そのため、使用者の脳の緊張を緩和してリラックスさせるような歯ブラシが望まれているが、上記した特許文献１記載の技術は緊張の緩和などについて何等対策するものではなかった。
【０００５】
従って、この発明の目的は上記した課題を解決し、滑りを防止すると共に、使用者の脳の緊張を緩和してリラックスさせるようにした歯ブラシを提供することにある。
【課題を解決するための手段】
【０００６】
上記の目的を解決するために、請求項１にあっては、複数本の毛が植設された植毛面を有するヘッド部と、前記ヘッド部に連続して形成される把持部とを少なくとも備えた歯ブラシにおいて、前記把持部における前記植毛面に連続する面とそれに対向する裏面に、前記把持部の長手方向に複数列の突起を一体的に形成するように構成した。
【０００７】
請求項２に係る歯ブラシにあっては、前記突起はそれぞれ、断面視半球形状であるように構成した。
【発明の効果】
【０００８】
請求項１に係る歯ブラシにあっては、把持部における植毛面に連続する面とそれに対向する裏面、即ち、把持部の表裏面に、把持部の長手方向に複数列の突起を一体的に形成するように構成したので、使用者が把持部を握るとき、突起（具体的には、複数列の突起の頭頂部（先端部））が手の平に全体的に接触することとなり、それによって反射的に安定感や安全、安心感が瞬時に脳神経に伝わり、脳の緊張を緩和してリラックスさせることができる。さらに、使用者はリラックスすることで自然に手の力が抜けるため、ヘッド部や毛などから歯肉に加わる無理な圧力が緩和されて口内の歯肉などが傷つけられることもない。
【０００９】
また、歯ブラシの握り方として把持部を手の平全体で掴む「パームグリップ式」や、鉛筆の握り方のように親指と人差し指と中指で持つ「ペングリップ式」などあるが、いずれの握り方であっても、手の平あるいは指先に突起が接触するため、前述した効果を得ることができる。
【００１０】
また、把持部に突起を形成するように構成したので、把持部の高さを突起の分だけ増加させることができ、よって突起のない平坦な把持部に比して握り易くすることができる。さらに、歯を磨く際には手の平が複数列の突起に引っ掛かるため、滑りを防止することができる。
【００１１】
また、歯磨きを行っている際、歯磨き粉の泡がヘッド部から把持部付近まで伝わることがあるが、その場合であっても、泡は複数個の突起の内のヘッド部に近接する位置に形成された突起によって堰き止められる。従って、歯磨き粉の泡が使用者の手に付着することがなく、よって滑りをより一層防止できると共に、把持したときの感触が良くなり、握り易くすることができる。
【００１２】
請求項２に係る歯ブラシにあっては、突起はそれぞれ、断面視半球形状であるように構成したので、上記した効果に加え、手の平と突起との接触による刺激が適宜に緩和されて把持したときの感触がより一層良くなり、握り易くすることができる。
【発明を実施するための最良の形態】
【００１３】
以下、添付図面に即してこの発明に係る歯ブラシを実施するための最良の形態について説明する。
【実施例】
【００１４】
図１はこの発明の実施例に係る歯ブラシを示す平面図である。また、図２は図１に示す歯ブラシの側面図であり、図３は図１に示す歯ブラシの背面図である。
【００１５】
図１から図３において、符号１０は歯ブラシを示す。歯ブラシ１０はヘッド部１０ａと、ヘッド部１０ａに連続して形成される首部１０ｂと、首部１０ｂに連続して形成され、図示しない使用者によって把持される（握られる）把持部１０ｃとを備える。
【００１６】
ヘッド部１０ａは略平板形状を呈すると共に、その一面には、図１，２に良く示すように、適宜な深さに設定された植毛穴１２が複数個（例えば２７個）穿設される。植毛穴１２にはそれぞれ、毛（刷毛体）１４を束ねた毛束が植設される。尚、図１などにおいては簡略化のため、毛束を一本の毛のようにして示すが、実際は複数本の毛１４を集合させたものであり、ヘッド部１０ａに植設される毛１４の総本数は例えば約５００〜１０００本である。
【００１７】
毛１４は、例えば飽和ポリエステル樹脂材（ポリブチレンテレフタレート）から製作され、その耐熱温度は６０［℃］である。以下、ヘッド部１０ａにおいて、毛１４が植設された植毛穴１２を備える面を「植毛面」といい、符号１０ａ１で示す。
【００１８】
首部１０ｂは、ヘッド部１０ａと同様、略平板形状である共に、平面視略台形状を呈する。具体的には、首部１０ｂの幅はヘッド部１０ａのそれに比して短くなるように設定される一方、ヘッド部１０ａから離間するにつれて徐々に長くなるように設定される。尚、この明細書において、「幅」あるいは「幅方向」とは図１に符号Ａで示す方向を意味する。また、図１に符号Ｂで示す方向を「（把持部の）長手方向」といい、図２に符号Ｃで示す方向を「高さ方向」という。
【００１９】
把持部１０ｃは、ヘッド部１０ａなどと同様、略平板形状を呈すると共に、その適宜位置には、図示の如く複数個（５２個）の突起（後述）１６が形成される。上記したヘッド部１０ａ、首部１０ｂおよび把持部１０ｃは一体的に形成されると共に、飽和ポリエステル樹脂材（耐熱温度：６０［℃］）から製作される。また、歯ブラシ１０は、長手方向の全体の長さが約１８０［ｍｍ］に設定され、成人（大人）用として使用される。
【００２０】
このように、歯ブラシ１０は、複数本の毛１４が植設された植毛面１０ａ１を有するヘッド部１０ａと、ヘッド部１０ａに首部１０ｂを介して連続して形成される把持部１０ｃとを少なくとも備える。
【００２１】
次いで、この発明の特徴部である把持部１０ｃ、特に把持部１０ｃに形成された突起１６について詳説する。
【００２２】
図示の如く、突起１６は把持部１０ｃに一体的に形成されると共に、把持部１０ｃにおける植毛面１０ａ１に連続する面（即ち、表面）１０ｃ１とそれに対向する裏面１０ｃ２に、把持部の長手方向Ｂに対して略平行となるように複数列（具体的には、１列あたり１３個の列が２本（２列））配置される。別言すれば、突起１６は、把持部の両端縁、正確には把持部の表裏面１０ｃ１，１０ｃ２の幅方向Ａにおける両端縁１０ｃ１ａ，１０ｃ２ａに沿って形成されると共に、それによって突起１６の列と列の間には把持部１０ｃの長手方向Ｂに亘って細長い空間１８が形成される。また、表面１０ｃ１の突起１６と裏面１０ｃ２の突起１６は、図２などから分かるように、表裏対象（同一形状）となるように形成される。
【００２３】
より具体的に説明すると、突起１６は、把持部１０ｃの表裏面１０ｃ１，１０ｃ２の中央部分（より詳しくは、使用者によって握られる部分）に約８０［ｍｍ］に亘って一体的に形成される。突起１６はそれぞれ断面視半球形状であり、その底面の直径（図２に符号ｄで示す）は約３［ｍｍ］に、高さ（符号ｈ）は約２［ｍｍ］に設定される。また、突起１６同士の距離（間隙。符号ｌ）は約３［ｍｍ］の等間隔となるように配置される。
【００２４】
以上の如く、この発明の実施例にあっては、複数本の毛１４が植設された植毛面１０ａ１を有するヘッド部１０ａと、前記ヘッド部１０ａに連続して形成される把持部１０ｃとを少なくとも備えた歯ブラシ１０において、前記把持部１０ｃにおける前記植毛面１０ａ１に連続する面１０ｃ１とそれに対向する裏面１０ｃ２に、前記把持部の長手方向Ｂに複数列（２列）の突起１６を一体的に形成するように構成した。
【００２５】
このように、把持部１０ｃにおける植毛面１０ａ１に連続する面１０ｃ１とそれに対向する裏面１０ｃ２、即ち、把持部の表裏面１０ｃ１，１０ｃ２に、把持部の長手方向Ｂに複数列の突起１６を一体的に形成するように構成、具体的には、底面の直径ｄが約３［ｍｍ］、高さｈが約２［ｍｍ］の突起１６を離間距離ｌが約３［ｍｍ］となるように等間隔に並べた列を２列ずつ形成し、突起１６の列と列の間に空間１８を形成するように構成したので、使用者が把持部１０ｃを握るとき、突起１６、具体的には、２列の突起１６の頭頂部（先端部）１６ａが手の平に全体的に接触することとなり、それによって反射的に安定感や安全、安心感が瞬時に脳神経に伝わり、脳の緊張を緩和してリラックスさせることができる。さらに、使用者はリラックスすることで自然に手の力が抜けるため、ヘッド部１０ａや毛１４などから歯肉に加わる無理な圧力が緩和されて口内の歯肉などが傷つけられることもない。
【００２６】
また、把持部の表裏面１０ｃ１，１０ｃ２に、把持部の長手方向Ｂに複数列の突起１６を一体的に形成し、突起１６の列と列の間に空間１８を形成するように構成したので、突起１６、および突起と突起の間隙や前記空間１８などのギャップによって、把持したときの感触が良くなり、より一層の安定感や安心感を反射的に脳神経に伝え、脳の緊張を緩和してリラックスさせることができる。
【００２７】
また、歯ブラシの握り方として把持部を手の平全体で掴む「パームグリップ式」や、鉛筆の握り方のように親指と人差し指と中指で持つ「ペングリップ式」などあるが、いずれの握り方であっても、手の平あるいは指先に突起１６が接触するため、前述した効果を得ることができる。
【００２８】
また、把持部１０ｃに突起１６を形成するように構成したので、把持部１６の高さを突起１６の分だけ、具体的には、表裏面の突起の高さを合計した４［ｍｍ］だけ増加させることができ、よって突起のない平坦な把持部に比して握り易くすることができる。さらに、歯を磨く際には手の平が２列の突起１６に引っ掛かるため、滑りを防止することができる。
【００２９】
また、歯磨きを行っている際、歯磨き粉の泡がヘッド部１０ａから把持部１０ｃ付近まで伝わることがあるが、その場合であっても、泡は複数個の突起１６の内のヘッド部１０ａに近接する位置に形成された突起（図１，３に符号１６ｂで示す）によって堰き止められる。従って、歯磨き粉の泡が使用者の手に付着することがなく、よって滑りをより一層防止できると共に、把持したときの感触が良くなり、握り易くすることができる。
【００３０】
また、前記突起１６はそれぞれ、断面視半球形状であるように構成したので、手の平と突起１６との接触による刺激が適宜に緩和されて把持したときの感触がより一層良くなり、握り易くすることができる。
【００３１】
尚、上記において、把持部１０ｃや突起１６、毛１４などの材質は例示であり、それに限定されるものではないこともいうまでもない。また、突起１６の高さや把持部１０ｃにおける突起１６が形成される部位の長さなども具体的な値で示したが、それらは例示であって限定されるものではない。従って、それらの値を縮小すれば、本願構成を子供用の歯ブラシなどにも適用することが可能となり、子供から成人まで歯磨きをスムーズに行うことができる。
【図面の簡単な説明】
【００３２】
【図１】この発明の実施例に係る歯ブラシを示す平面図である。
【図２】図１に示す歯ブラシの側面図である。
【図３】図１に示す歯ブラシの背面図である。
【符号の説明】
【００３３】
１０  歯ブラシ、１０ａ  ヘッド部、１０ａ１  植毛面、１０ｃ  把持部、１０ｃ１  面、１０ｃ２  裏面、１４  毛、１６  突起、Ｂ  長手方向
【図１】
2008188133.tif 000003
【図２】
2008188133.tif 000004
【図３】
2008188133.tif 000005